(57)【要約】【課題】　電磁クラッチを側板に回り止めしながら取り付ける場合に、その作業性を向上させる。【解決手段】　この回り止め構造は、第２分割板３４に対して電磁クラッチＣ１，Ｃ３，Ｃ４を回り止めするための構造であり、電磁クラッチに設けられた係止部材８１，８３，８４と、第２分割板３４に設けられた係止用ビス８７，８９，９１とを有している。係止用ビスは、電磁クラッチが第２分割板に装着された状態で係止部材に係止する係止位置と係止部材に対する係止が解除された係止解除位置とを取り得る。【選択図】　　　図８
2004044809.tif 000002
【特許請求の範囲】
【請求項１】
　ベース部材とこのベース部材に着脱自在な蓋部材との間に、前記蓋部材に覆われるようにして回転自在に支持される部品の回転を止めるための回り止め構造であって、
　前記回転する部品に設けられた雌係止部と、
　前記蓋部材に設けられ、前記回転する部品が前記ベース部材と蓋部材との間に支持された状態で前記雌係止部に係止する係止位置と前記雌係止部に対する係止が解除された係止解除位置とを、前記蓋部材の外側からの操作によって取り得る雄係止部材と、
を備えた回転部品の回り止め構造。
【請求項２】
　前記雌係止部は切欠きである、請求項１に記載の回転部品の回り止め構造。
【請求項３】
　前記雌係止部は孔である、請求項１に記載の回転部品の回り止め構造。
【請求項４】
　前記雄係止部は前記蓋部材に螺合するビスである、請求項１から３のいずれかに記載の回転部品の回り止め構造。
【請求項５】
　前記雌係止部は前記回転する部品に装着されたプレートに形成されている、請求項１から４のいずれかに記載の回転部品の回り止め構造。
【請求項６】
　前記蓋部材の前記雄係止部が係止される部分の近傍には、前記雌係止部を視認可能な開口が設けられている、請求項１から５のいずれかに記載の回転部品の回り止め構造。
【請求項７】
　前記ベース部材に対する前記蓋部材の相対位置を決めるための位置決め機構をさらに備えた、請求項１から６のいずれかに記載の回転部品の回り止め構造。
【発明の詳細な説明】
【技術分野】
【０００１】
　本発明は、回り止め構造、特に、ベース部材とこのベース部材に着脱自在な蓋部材との間に、前記蓋部材に覆われるようにして回転自在に支持される部品の回転を止めるための回転部品の回り止め構造に関する。
【背景技術】
【０００２】
　例えば複写機においては、駆動モータの回転を感光体ドラムや現像装置あるいは給紙装置等に伝達するために、駆動ユニットが設けられている。この駆動ユニットは、互いに間隔をあけて配置された１対の側板と、１対の側板間に回転自在に支持された複数のギヤからなるギヤ列とを有している。複数のギヤは駆動モータの回転を給紙ローラ等の従動側機構の入力部に伝達するためのものであり、その回転伝達経路中には電磁クラッチが設けられている。この電磁クラッチをオン、オフして回転を伝達したりあるいは遮断することによって、給紙装置の給紙の開始タイミング等をとるようにしている。
【０００３】
　前記のような電磁クラッチを側板に対して固定する場合、従来は、電磁クラッチ側に係止用の切欠きを設けるとともに、側板にその一部を切り起こして形成した爪を形成し、この爪を電磁クラッチ側の係止用切欠きに係止するようにしている。これにより、電磁クラッチを側板に対して回り止めすることができる。
【０００４】
　また、回転する電磁クラッチ等の部品を回り止めするための構成として、実願昭６１−１８６６２号（実開昭６１−１５０５３１号）のマイクロフィルムや実願昭６０−９５１６１号（実開昭６２−４６３３号）のマイクロフィルムに記載された構成がある。これらの従来構造では、回転する部品側に回転止めのための板部材を設けるとともに、その板部材に切欠きや孔を形成し、この孔にビス等の係止部材を係止して回り止めを行うようにしている。
【特許文献１】実願昭６１−１８６６２号（実開昭６１−１５０５３１号）のマイクロフィルム
【特許文献２】実願昭６０−９５１６１号（実開昭６２−４６３３号）のマイクロフィルム
【発明の開示】
【発明が解決しようとする課題】
【０００５】
　前記のような駆動ユニットにおいて例えば電磁クラッチを交換する場合、一方側の側板を取り外し、目的とする電磁クラッチを交換した後、再度側板を他方の側板に固定する。この際、電磁クラッチ側の係止用切欠きと側板の爪の位置合わせをしながら側板を取り付ける必要がある。
【０００６】
　しかし、通常は駆動ユニットには電磁クラッチは複数個設けられているので、すべての電磁クラッチ側の係止用切欠きと側板の爪とを位置合わせしながら側板を取り付けるのは非常に困難である。
【０００７】
　このような問題は、複写機における電磁クラッチの取り付けの場合に限らず、一般的に、１対の側板間あるいはベース部材と蓋部材との間に回転する部材を取り付けてその回り止めをする場合に共通した問題である。
【０００８】
　本発明の課題は、回転する部材をベース部材と蓋部材との間に回り止めしながら取り付ける場合に、その作業性を向上させることにある。
【課題を解決するための手段】
【０００９】
　請求項１に係る回転部品の回り止め構造は、ベース部材とこのベース部材に着脱自在な蓋部材との間に、蓋部材に覆われるようにして回転自在に支持される部品の回転を止めるための回り止め構造であり、回転する部品に設けられた雌係止部と、蓋部材に設けられた雄係止部材とを有している。雄係止部材は、回転する部品がベース部材と蓋部材との間に支持された状態で、雌係止部に係止する係止位置と雌係止部に対する係止が解除された係止解除位置とを、蓋部材の外側からの操作によって取り得る。
【００１０】
　ここでは、まずベース部材に回転する部品の一端側を取り付けておく。次に、蓋部材の雄係止部材を係止解除位置に位置させておき、この蓋部材をベース部材に装着する。蓋部材をベース部材に装着した後、回転する部品を回転させて、部品側の雌係止部と蓋部材側の雄係止部材の位置合わせを行う。位置合わせが終了した後、蓋部材の外側からの操作によって雄係止部材を係止位置に位置させる。これにより、蓋部材側の雄係止部材が回転する部品の雌係止部に係止し、部品の回り止めが行われる。
【００１１】
　この場合は、ベース部材と蓋部材との間に部品を支持させた後、雄係止部材を係止させることができるので、部品及び蓋部材のベース部材への取り付けと、回り止めのための雌係止部と雄係止部材との係止とを別作業で行える。したがって、特に、ベース部材と蓋部材との間に複数の部品を支持する場合に作業性が向上する。
【００１２】
　請求項２に係る回転部品の回り止め構造は、請求項１の構造において、前記雌係止部は切欠きである。
　請求項３に係る回転部品の回り止め構造は、請求項１の構造において、前記雌係止部は孔である。
【００１３】
　請求項４に係る回転部品の回り止め構造は、請求項１から３のいずれかの構造において、前記雄係止部は蓋部材に螺合するビスである。この場合は、ビスを緩めたり締め込んだりするだけで、ビスを雌係止部に係止させたり、係止を解除させたりすることができ、構造が簡単で、しかも作業性がより向上する。
【００１４】
　請求項５に係る回転部品の回り止め構造は、請求項１から４のいずれかの構造において、前記雌係止部は前記回転する部品に装着されたプレートに形成されている。
　請求項６に係る回転部品の回り止め構造は、請求項１から５のいずれかの構造において、蓋部材の雄係止部が係止される部分の近傍には、雌係止部を視認可能な開口が設けられている。この場合は、開口から雌係止部の位置を確認しながら雄係止部材を雌係止部に係止させることができ、作業性がより向上する。
【発明の効果】
【００１５】
　以上のようにこの発明では、ベース部材と蓋部材との間に部品を取り付ける際に、ベース部材への部品及び蓋部材の取付作業と、部品の回り止めのための作業とを別々に行えるので、特に、ブース部材と蓋部材との間に複数の部品を装着する場合に作業性が向上する。
【発明を実施するための最良の形態】
【００１６】
　［複写機の構成］
　図１は、本発明の一実施形態による駆動ユニットを有する複写機を示している。図において、複写機本体１の上面には原稿載置台２が固定されている。原稿載置台２の上部には原稿押え３が開閉自在に装着されている。一方、複写機本体１の右方には、バイパストレイ５ａが装着されるとともに給紙カセット５，６が着脱自在に装着されており、左方には複写済の用紙が排出される排紙トレイ７が装着されている。なお、図示していないが、バイパストレイ５ａにはバイパスリフト機構が設けられており、用紙の圧接及びその解除を行って、用紙を給紙する場合の負荷が軽減できるようになっている。
【００１７】
　複写機本体１の内部において、その上部には原稿読み取りのための光学系８が設けられている。装置本体１のほぼ中央には感光体ドラム９が配置されている。感光体ドラム９の周囲には、感光体ドラム９を所定の電荷に帯電させる主帯電用コロナ放電器１０、現像装置１１、転写用コロナ放電器１２、分離用コロナ放電器１３及びクリーニング装置１４が配置されている。
【００１８】
　また、感光体ドラム９等により形成される画像形成部とバイパストレイ５ａとの間にはバイパス給紙部１５ａが設けられ、画像形成部と給紙カセット５，６との間には画像形成部に用紙を搬送する給紙装置１５が設けられている。この給紙装置１５には、画像形成部に用紙を給紙するタイミングを制御するレジストローラが含まれる。さらに、画像形成部の下流側には用紙搬送装置１６が設けられている。用紙搬送装置１６と排出ローラ１９との間には、搬送されてきた用紙上のトナー像を定着するための定着装置２０が設けられている。
【００１９】
　［駆動ユニットの構成］
　この複写機本体１の奥側には、感光体ドラム９、現像装置１１、バイパス給紙装置１５ａ、給紙装置１５及び図示しないバイパスリフト機構を駆動するための駆動ユニット３０が設けられている。
【００２０】
　駆動ユニット３０は、図２に示すように、駆動モータ３１が裏面側に固定されたベース板３２と、ベース板３２に対して所定の間隔をあけてベース板３２に支持された第１分割板３３及び第２分割板３４と、ベース板３２と第１及び第２分割板３３，３４との間に階層的に配置されたギヤ列３５及び複数の電磁クラッチとを有している。また、第１分割板３３の外側（図２において手前側）には、レジストローラへの入力ギヤ３６が設けられ、第２分割板３４の外側には、給紙装置１５への入力ギヤ３７とバイパス給紙装置１５ａへの入力ギヤ３８とが設けられている。
【００２１】
　なお、図２は駆動ユニット３０を複写機の手前側から見た図であり、ベース板３２が複写機の最も奥側に配置されるとともにその裏面（さらに奥側）に駆動モータ３１が配置され、ベース板３２の手前側に２つの分割板３３，３４が配置されている。
【００２２】
　この駆動ユニット３０のギヤ列３５は、複数のクラッチを含んで階層的に配置されているので、駆動経路にしたがって各階層別に構成を説明する。
　［第１ギヤ列］
　図３はベース板３２と第１ギヤ列４０とを示している。第１ギヤ列４０は、ベース板３２に最も近い位置に配置されており、駆動モータ３１の出力軸の先端に固定された第１ギヤＧ１と、第１ギヤＧ１に噛み合う上下の第２ギヤＧ２及び第３ギアＧ３と、第２ギアＧ２と同軸上に固定された第４ギアＧ４と、第３ギヤＧ３と同軸上に固定された第５ギヤＧ５とを有している。これらのギヤはそれぞれベース板３２に回転自在に支持されている。
【００２３】
　［第２ギヤ列］
　図４はベース板３２に支持された第２ギヤ列５０を示している。第２ギア列５０は、第１ギヤ列４０の手前側に配置されており、複数のギヤと電磁クラッチとを有している。
【００２４】
　この第２ギヤ列５０は第１ギヤ列４０の第５ギヤＧ５に噛み合う第６ギヤＧ６を有している。第６ギヤＧ６には、現像装置１１を駆動するための第７ギヤＧ７と、給紙装置１５の高速用の第８ギヤＧ８と、中間伝達用の第９ギヤＧ９とが噛み合っている。第８ギヤＧ８は円筒状の第１電磁クラッチＣ１の装置奥側端面に固定されている。第１電磁クラッチＣ１は図示しない制御部からの信号によりオン、オフ制御され、第１電磁クラッチＣ１がオンの場合は第８ギヤＧ８からの回転がその中心の軸５１に伝達され、オフの場合は第８ギアＧ８からの回転は軸５１に伝達されない。
【００２５】
　また第２ギア列５０は、第９ギヤＧ９に噛み合うレジストローラ駆動用の第１０ギヤＧ１０と、同様に第９ギヤＧ９に噛み合う給紙装置１５の低速用の第１１ギヤＧ１１とを有している。第１０ギヤＧ１０は円筒状の第２電磁クラッチＣ２の装置奥側端面に固定されている。また第１１ギヤＧ１１は円筒状の第３電磁クラッチＣ３の装置奥側端面に固定されている。第２及び第３電磁クラッチＣ２，Ｃ３は図示しない制御部からの信号によりオン、オフ制御され、第２電磁クラッチＣ２がオンの場合は第１０ギヤＧ１０からの回転がその中心の軸５２に伝達され、オフの場合は第１０ギアＧ１０からの回転は軸５２に伝達されない。また、第３電磁クラッチＣ３がオンの場合は第１１ギヤＧ１１からの回転がその中心の軸５３に伝達され、オフの場合は第１１ギアＧ１１からの回転は軸５３に伝達されない。
【００２６】
　さらに第２ギア列５０は、第８ギアＧ８に噛み合うバイパス給紙装置１５ａ駆動用の第１２ギヤＧ１２と、第１２ギヤＧ１２に噛み合うバイパスリフト駆動用の第１３ギヤＧ１３とを有している。第１２ギヤＧ１２は円筒状の第４電磁クラッチＣ４の装置奥側端面に固定されている。また第１３ギヤＧ１３は第５電磁クラッチＣ５の装置奥側端面に固定されている。第４及び第５電磁クラッチＣ４，Ｃ５は図示しない制御部からの信号によりオン、オフ制御され、第４電磁クラッチＣ４がオンの場合は第１２ギヤＧ１２からの回転がその中心の軸５４に伝達され、オフの場合は第１２ギアＧ１２からの回転は軸５４に伝達されない。また、第５電磁クラッチＣ５がオンの場合は第１３ギヤＧ１３からの回転がその中心の軸５５に伝達され、オフの場合は第１３ギアＧ１３からの回転は軸５５に伝達されない。以上の各ギヤ及び軸はベース板３２に回転自在に支持されている。なお、第４ギヤＧ４はタイミングベルト５６を介して感光体ドラム９を駆動するように構成されている。
【００２７】
　［第３ギヤ列］
　図５はベース板３２に支持された第３ギヤ列６０を示している。第３ギア列６０は、位置的には第１ギヤ列４０と並列してベース板３２に最も近い位置に配置されている。この第３ギヤ列６０は、第１電磁クラッチＣ１が装着された軸５１に固定された第１４ギヤＧ１４と、この第１４ギヤＧ１４に噛み合うとともに第３電磁クラッチＣ３が装着された軸５３に固定された第１５ギヤＧ１５とを有している。またこの第３ギヤ列６０は、第５電磁クラッチＣ５が装着された軸５５に固定された第１６ギヤＧ１６と、この第１６ギヤＧ１６に噛み合う第１７ギヤＧ１７とを有している。第１７ギヤＧ１７はバイパスリフト機構を駆動するための別のユニットに回転を伝達するものである。これらの各ギヤ及び軸はベース板３２に回転自在に支持されている。
【００２８】
　［分割板］
　図６は、ベース板３２と第１及び第２分割板３３，３４とのみを示し、他のギヤ列や電磁クラッチは省略している。
【００２９】
　第１分割板３３は、第６ギヤＧ６、第７ギヤＧ７、第９ギヤＧ９、第１０ギヤＧ１０及び第２電磁クラッチＣ２を支持するための側板であり、ベース板３２にビス等により固定されている。そして、第２電磁クラッチＣ２と対向する部分には第２電磁クラッチＣ２の外形よりも大きな外径の円形の第２開口６６が形成されている。
【００３０】
　また、第１分割板３３には、クラッチ支持板６８が取り外し自在にビス（図示せず）によって装着されている。クラッチ支持板６８は、第２電磁クラッチＣ２を支持するための部材であり、外周部に外方に突出する取付部６８ａ，６８ｃ，６８ｂを有し、第２開口６６を覆うように装着されている。このように、第１分割板３３に開口６６を形成し、クラッチ支持板６８を第１分割板３３とは別に設けることによって、クラッチ支持板６８を取り外すだけで、他の部材を取り外すことなく第２電磁クラッチＣ２を着脱することが可能である。
【００３１】
　第２分割板３４は、第３，第５ギヤＧ３，Ｇ５、第８，第１４ギヤＧ８，Ｇ１４、第１電磁クラッチＣ１、第１１，第１５ギヤＧ１１，Ｇ１５、第３電磁クラッチＣ３、第１２ギヤＧ１２、第４電磁クラッチＣ４、第１３，第１６ギヤＧ１３，Ｇ１６、第５電磁クラッチＣ５及び第１７ギヤＧ１７を支持するための側板であり、ベース板３２にビス等により固定されている。この第２分割板３４をベース板３２から取り外すことによって、第１分割板３３側に支持されたギヤやクラッチを取り外すことなく第２分割板３４側に支持されたギヤやクラッチを取り外すことができる。
【００３２】
　なお、第２分割板３４をさらに分割することも可能である。すなわち、ある電磁クラッチを取り外す際に、この電磁クラッチと干渉するギヤのみを支持するような側板を単位として分割すれば、ある電磁クラッチを交換する際に、必要最小限の部材の取り外しのみでクラッチの交換が可能となる。
【００３３】
　さらに、第２分割板３４側においても、第１分割板３３におけるクラッチ支持板６８を設けることも考えられる。ここでは、開口を形成するためのスペース等の関係で、第２分割板３４側にはクラッチ支持板は設けていない。
【００３４】
　［位置決め機構］
　ここで、各分割板３３，３４及びクラッチ支持板６８はベース板３２に対して高精度の位置決めが必要である。各軸間距離を正確に維持したり、ベース板と各分割板等との間で同心度を厳しく管理する必要があるからである。
【００３５】
　そこで、ここでは、ベース部材３２と各分割板等との間の位置決め用の部材として、図６に示すように、第１〜第５ロッド７０〜７４を設けている。第１ロッド７０及び第２ロッド７１はベース板３２に対する第１分割板３３の位置決め用であり、第１ロッド７０及び第３ロッド７２はベース板３２に対するクラッチ支持板６８の位置決め用である。また、第４ロッド７３及び第５ロッド７４はベース板３２に対する第２分割板３４の位置決め用である。そして、各ロッドが挿入される孔は高精度に加工されている。
【００３６】
　［入力ギヤ］
　なお、前述したレジストローラへの入力ギヤ３６は第２電磁クラッチＣ２と同心に軸５２の端部に装着され、給紙装置１５への入力ギヤ３７は第３電磁クラッチＣ３と同心に軸５３の端部に装着され、バイパス給紙装置１５ａへの入力ギヤ３８は第４電磁クラッチＣ４と同心に軸５４の端部に装着されている。
【００３７】
　［回り止め機構］
　また、この駆動ユニット３０においては、各電磁クラッチの回り止めの構成が設けられている。すなわち、電磁クラッチはその中心の軸とともに回転が可能であるが、ベース板３２、分割板３３，３４あるいはクラッチ支持板６８に対して各電磁クラッチが回転しないようにしなければならない。
【００３８】
　そこで、この実施形態では、図４に示されるように、まず各電磁クラッチの手前側の端面に第１〜第５係止部材８１〜８５を設けている。各係止部材８１〜８５はほぼ同様の形状であり、第１係止部材８１を図７に拡大して示す。図に示すように、第１係止部材８１は、二股形状であり、突出する部分に係止用の切欠き８１ａを有している。そして、図６に示すように、第２分割板３４において第１電磁クラッチＣ１が装着される部分には開口８６が形成され、その近傍には係止用ビス８７が螺合している。また、第２分割板３４において第３電磁クラッチＣ３が装着される部分には開口８８が形成され、その近傍には係止用ビス８９が螺合している。さらに第４電磁クラッチＣ４が装着される部分には開口９０が形成され、その近傍には係止用ビス９１が螺合している。
【００３９】
　このような構造では、図８に示すように、第１電磁クラッチＣ１の係止部材８１の位置と係止用ビス８７の位置とを一致させ、係止用ビス８７を締め込んでいくことで係止用ビス８７を係止部材８１の切欠き８１ａ内に挿入できる。これにより、第１電磁クラッチＣ１の回転を止めることができる。他の第３電磁クラッチＣ３、第４電磁クラッチＣ４についても同様である。
【００４０】
　また、図６に示すように、クラッチ支持板６８の外周部には、ベース板３２側に折り曲げられた係止爪６８ｄが形成されている。この係止爪６８ｄは第２係止部材８２の切欠き内に挿入可能であり、これにより第２電磁クラッチＣ２の回転が止められる。さらに、図３〜図５に示すように、ベース板３２の第５電磁クラッチＣ５側の端部は、第２分割板３４側に折り曲げられ、その一部に係止爪３２ａが形成されている。この係止爪３２ａは第５係止部材８５の切欠き内に挿入可能であり、これにより第５電磁クラッチＣ５の回転が止められる。
【００４１】
　［動作］
　次に、特に駆動ユニット３０の動作について説明する。なお、複写機自体の動作は通常の動作と同様である。
【００４２】
　＜１．感光体ドラムの駆動＞
　〔回転伝達経路：駆動モータ３１→第１ギヤＧ１→第２ギヤＧ２＝第４ギヤＧ４→タイミングベルト５６→感光体ドラム９〕
　駆動モータ３１の回転は第１ギヤＧ１を介して第２ギヤＧ２に伝達される。第２ギヤＧ２と第４ギヤＧ４とは同軸に固定されているので、第２ギヤＧ２の回転により第４ギヤＧ４も同様に回転する。この回転はタイミングベルト５６を介して感光体ドラム９に固定されたギヤ（図示せず）に伝達され、感光体ドラム９が駆動される。
【００４３】
　＜２．現像装置の駆動＞
　〔回転伝達経路：駆動モータ３１→第３ギヤＧ３＝第５ギヤＧ５→第６ギヤＧ６→第７ギヤＧ７→現像装置〕
　駆動モータ３１の回転は第１ギヤＧ１を介して第３ギヤＧ３に伝達される。第３ギヤＧ３と第５ギヤＧ５とは同軸に固定されているので、第３ギヤＧ３の回転により第５ギヤＧ５も同様に回転する。これにより第５ギヤＧ５と噛み合う第６ギヤＧ６が回転し、さらに第６ギヤＧ６に噛み合う第７ギヤＧ７が回転する。この第７ギヤＧ７の回転が現像装置に入力される。
【００４４】
　＜３．レジストローラの駆動＞
　〔回転伝達経路：駆動モータ３１→第３ギヤＧ３＝第５ギヤＧ５→第６ギヤＧ６→第９ギヤＧ９→第１０ギヤＧ１０＝第２電磁クラッチＣ２＝軸５２＝レジストローラ入力ギヤ３６→レジストローラ〕
　第６ギヤＧ６までの回転伝達動作は前記現像装置の駆動と同様である。第６ギヤＧ６の回転により、これと噛み合う第９ギヤＧ９が回転し、さらに第９ギヤＧ９に噛み合う第１０ギヤＧ１０が回転する。第１０ギヤＧ１０は第２電磁クラッチＣ２に固定されているので、第２電磁クラッチＣ２がオンの場合は第１０ギヤＧ１０の回転は軸５２に伝達される。この軸５２の回転は、レジストローラ入力ギヤ３６を介してレジストローラに伝達される。また、第２電磁クラッチＣ２がオフの場合は軸５２に回転は伝達されず、レジストローラは回転しない。
【００４５】
　＜４．給紙装置の駆動（低速）＞
　給紙装置１５は低速及び高速での給紙が可能であり、低速給紙の場合は第３電磁クラッチＣ３がオンされ、第１電磁クラッチＣ１がオフされる。
【００４６】
　〔回転伝達経路：駆動モータ３１→第３ギヤＧ３＝第５ギヤＧ５→第６ギヤＧ６→第９ギヤＧ９→第１１ギヤＧ１１＝第３電磁クラッチＣ３＝軸５３＝給紙装置入力ギヤ３７→給紙装置〕
　第９ギヤＧ９までの回転伝達動作は前記レジストローラの駆動の場合と同様である。第９ギヤＧ９の回転により第１１ギヤＧ１１が回転する。第１１ギヤＧ１１は第３電磁クラッチＣ３に固定されているので、第３電磁クラッチＣ３がオンの場合は、第１１ギヤＧ１１の回転は軸５３に伝達され、給紙装置入力ギヤ３７を介して給紙装置１５が駆動される。第３電磁クラッチＣ３及び第１電磁クラッチＣ１がともにオフの場合は給紙装置は駆動されない。
【００４７】
　＜５．給紙装置の駆動（高速）＞
　高速給紙の場合は、第１電磁クラッチＣ１がオンされ、第３電磁クラッチＣ３はオフされる。
【００４８】
　〔回転伝達経路：駆動モータ３１→第３ギヤＧ３＝第５ギヤＧ５→第６ギヤＧ６→第８ギヤＧ８＝第１電磁クラッチＣ１＝軸５１＝第１４ギヤＧ１４→第１５ギヤＧ１５＝軸５３＝給紙装置入力ギヤ３７→給紙装置〕
　第６ギヤＧ６までの回転伝達動作は前記と同様である。第６ギヤＧ６の回転により、これと噛み合う第８ギヤＧ８が回転する。第８ギヤＧ８は第１電磁クラッチＣ１に固定されているので、第１電磁クラッチＣ１がオンの場合は、第８ギヤＧ８の回転は軸５１に伝達され、これにより第１４ギヤＧ１４が回転する。そして第１４ギヤＧ１４に噛み合う第１５ギヤＧ１５が回転する。第１５ギヤＧ１５は軸５３に固定されているので、第１５ギヤＧ１５の回転により給紙装置入力ギヤ３７が回転し、これにより給紙装置１５が駆動される。
【００４９】
　なお、前述の低速給紙の動作で説明したように、駆動モータ３１の回転は低速給紙用の第１１ギヤＧ１１にも伝達される。しかし、高速給紙の場合は第３電磁クラッチＣ３はオフされているので、低速給紙系の回転は給紙装置側に伝達されない。
【００５０】
　＜６．バイパス給紙装置の駆動＞
　バイパス給紙の場合は第１電磁クラッチＣ１はオフされている。
　〔回転伝達経路：駆動モータ３１→第３ギヤＧ３＝第５ギヤＧ５→第６ギヤＧ６→第８ギヤＧ８→第１２ギヤＧ１２＝第４電磁クラッチＣ４＝軸５４＝バイパス給紙装置入力ギヤ３８→バイパス給紙装置〕
　第８ギヤＧ８までの回転伝達動作は前記と同様である。第８ギヤＧ８の回転により、これと噛み合う第１２ギヤＧ１２が回転する。第１２ギヤＧ１２は第４電磁クラッチＣ４に固定されているので、第４電磁クラッチＣ４がオンの場合は、第１２ギヤＧ１２の回転は軸５４に伝達され、これによりバイパス給紙装置入力ギヤ３８が回転し、これによりバイパス給紙装置１５ａが駆動される。なお、前述のように、第１電磁クラッチＣ１がオフであるので、第８ギヤＧ８が回転してもその回転は軸５１に伝達されない。
【００５１】
　＜７．バイパスリフト機構の駆動＞
　〔回転伝達経路：駆動モータ３１→第３ギヤＧ３＝第５ギヤＧ５→第６ギヤＧ６→第８ギヤＧ８→第１２ギヤＧ１２→第１３ギヤＧ１３＝第５電磁クラッチＣ５＝軸５５＝第１６ギヤＧ１６→第１７ギヤＧ１７→バイパスリフト機構（図示せず）〕
　第１２ギヤＧ１２までの回転伝達動作は前記と同様である。第１２ギヤＧ１２の回転により、これと噛み合う第１３ギヤＧ１３が回転する。第１３ギヤＧ１３は第５電磁クラッチＣ５に固定されているので、第５電磁クラッチＣ５がオンの場合は、第１３ギヤＧ１３の回転は軸５５に伝達され、これにより第１６ギヤＧ１６が回転する。そしてこの第１６ギヤＧ１６に噛み合う第１７ギヤＧ１７が回転し、この回転により別のユニットに設けられたバイパスリフト機構が駆動される。
【００５２】
　［電磁クラッチの交換］
　この駆動ユニット３０において第２電磁クラッチＣ２を交換する場合は、ビスを緩めてクラッチ支持板６８をベース板３２及び第１分割板３３から取り外す。第１分割板３３には、第２電磁クラッチＣ２の外径よりも大きな第２開口６６が形成されているので、クラッチ支持板６８に第２電磁クラッチＣ２を取り付けたまま、ベース板３２及び第１分割板３３から第２電磁クラッチＣ２を取り外すことができる。その後は、クラッチ支持板６８から第２電磁クラッチＣ２を取り外せばよい。
【００５３】
　第２電磁クラッチＣ２を再び装着する場合は、まず第２電磁クラッチＣ２の係止部材８２の切欠きにクラッチ支持板６８の係止爪６８ｄを係止して第２電磁クラッチＣ２をクラッチ支持板６８に取り付ける。次に、第２電磁クラッチＣ２を第１分割板３３の第２開口６６に挿入しながらクラッチ支持板６８を第１分割板３３に固定する。
【００５４】
　このように、第２電磁クラッチＣ２の交換に際しては、他のギヤやクラッチを取り外すことなく容易に着脱が行える。他の電磁クラッチを交換する場合は、まず入力ギヤ３７，３８を取り外す。次に、ビスを緩めて、第２分割板３４をベース板３２から取り外す。この状態で、第２分割板３４側に支持された各電磁クラッチ及びこれらを取り外す際に干渉するギヤをベース板３２から取り外すことが可能である。なお、各電磁クラッチと、これらを取り外す際に干渉するギヤとが同じ第２分割板３４に支持されているので、第２分割板３４に各電磁クラッチ及びギヤを支持したまま取り外すことも可能である。
【００５５】
　電磁クラッチを交換した後に再び第２分割板３４をベース板３２に取り付ける場合は、電磁クラッチの回転止め用のビス８７，８９，９１を緩めて、図８の実線で示すような状態にしておく。そして、ベース板３２に軸、ギヤ及び電磁クラッチを支持した後、位置決め用のロッド及び軸を第２分割板３４の孔に挿入しながら第２分割板３４をベース板３２に取り付ける。
【００５６】
　その後、第２分割板３４に形成された開口８６，８８，９０から各電磁クラッチの係止部材の位置を確認しながら各電磁クラッチを回転させて、各係止部材８１，８３，８４の切欠きと係止用ビス８７，８９，９１の位置合わせを行う。そして、係止用ビスを締め込んで、ビス先端を係止部材の切欠きに係止させる。
【００５７】
　このようにして、第２分割板３４をベース板３２に取り付けた後に、個々の電磁クラッチの回り止めを行うことができ、電磁クラッチの交換作業性や出荷時の組立性が向上する。
【００５８】
　〔他の実施形態〕
　（ａ）雌係止部の形状は前記実施形態に限定されない、例えば、図９に示すように、係止部材９５の突出部に、係止用ビスが挿入可能な孔９５ａを形成してもよい。
【００５９】
　（ｂ）雌係止部として電磁クラッチに固定される係止部材を採用したが、電磁クラッチのハウジング部分に一体的に係止部を設けてもよい。
　（ｃ）本発明は、複写機の駆動ユニットにおける電磁クラッチの回り止め構造だけでなく、ベース部材と蓋部材との間に回転自在に支持されるあらゆる部品に対する回り止め構造に適用可能である。
【図面の簡単な説明】
【００６０】
【図１】本発明の一実施形態による駆動ユニットを有する複写機の縦断面概略構成図。
【図２】前記駆動ユニットの正面図。
【図３】前記駆動ユニットのベース板及び第１ギヤ列を示す分解正面図。
【図４】前記駆動ユニットのベース板及び第２ギヤ列を示す分解正面図。
【図５】前記駆動ユニットのベース板及び第３ギヤ列を示す分解正面図。
【図６】前記駆動ユニットのベース板及び分割板を示す正面図。
【図７】前記駆動ユニットの電磁クラッチに設けられた係止部材の正面図。
【図８】前記係止部材の作用を説明するための断面部分図。
【図９】前記係止部材の他の実施形態を示す図。
【符号の説明】
【００６１】
　３２　　ベース板
　３３　　第１分割板
　３４　　第２分割板
　６８　　クラッチ支持板
　８１〜８５　　係止部材
　８６，８８，９０　　開口
　８７，８９，９１　　係止用ビス
　Ｃ１〜Ｃ５　　電磁クラッチ
【図１】
2004044809.tif 000003
【図２】
2004044809.tif 000004
【図３】
2004044809.tif 000005
【図４】
2004044809.tif 000006
【図５】
2004044809.tif 000007
【図６】
2004044809.tif 000008
【図７】
2004044809.tif 000009
【図８】
2004044809.tif 000010
【図９】
2004044809.tif 000011